(57)【特許請求の範囲】
【請求項１】
位置を指し示す先端を有する指示先端部と、前記指示先端部から信号を発する発信部と、前記指示先端部が接続される本体部とを有する指示体であって、
前記本体部は、
外装を構成する外装筐体と、
前記外装筐体の変位を検出して検出信号を出力する検出部と、
前記検出信号に基づいて当該指示体の動作状態を変更する制御部と、
前記発信部を駆動させる駆動部と、
前記指示先端部が押圧されたことを検出する押圧検出部と、
を備え、
前記検出部は、
前記外装筐体の内面に配置され、前記変位を検出する検出素子と、
前記検出素子が前記変位を検出した場合、前記検出信号を出力する信号出力部と、
を備え、
当該指示体は、前記制御部が前記駆動部を動作可能とする動作モード、および前記制御部が前記駆動部の動作を停止させる第１の待機モードを有し、
前記制御部は、前記第１の待機モードにおいて、前記検出信号が出力された場合に、前記動作モードに変更し、
前記制御部は、前記動作モードにおいて、前記検出信号が出力されない状態が第１の所定時間継続した場合に、前記第１の待機モードに変更し、
当該指示体は、前記制御部が前記第１の待機モードで行われる動作の一部を停止させる第２の待機モードをさらに有し、
前記制御部は、前記第１の待機モードにおいて、前記検出信号が出力されない状態が第２の所定時間継続した場合に、前記第２の待機モードに変更し、
前記制御部は、前記第２の待機モードにおいて、前記検出信号が出力された場合に、前記動作モードに変更し、
前記第２の待機モードにおいて停止させられる前記第１の待機モードで行われる動作の一部は、前記検出部から出力される前記検出信号を受信して前記動作モードに変更する動作以外の動作であり、
前記制御部は、前記動作モードにおいて、前記押圧検出部による検出結果に基づいて、前記指示先端部が押圧されているとき、第１のパターンで前記発信部により前記信号を発信させ、前記指示先端部が押圧されていないとき、第２のパターンで前記発信部により前記信号を発信させる、
ことを特徴とする指示体。
【請求項２】
請求項１に記載の指示体であって、
前記外装筐体は、前記先端から当該先端とは反対側に向かう第１方向に沿って延出し、前記第１方向から見て、前記検出部を囲む筐体本体部を有し、
前記検出素子は、前記筐体本体部の内面に、周方向に沿って配置されていることを特徴とする指示体。
【請求項３】
請求項２に記載の指示体であって、
前記筐体本体部は、前記周方向に並設された第１筐体および第２筐体を有し、
前記検出素子は、前記第１筐体と前記第２筐体とに跨って配置されていることを特徴とする指示体。
【請求項４】
請求項３に記載の指示体であって、
前記筐体本体部は、前記周方向における前記第２筐体の前記第１筐体とは反対側に並設された第３筐体をさらに備え、
前記検出素子は、前記第２筐体と前記第３筐体とに跨って配置されていることを特徴とする指示体。
【請求項５】
請求項４に記載の指示体であって、
前記第１筐体、前記第２筐体および前記第３筐体は、前記周方向に沿って環状に配置され、
前記第２筐体には、当該指示体に関する情報を表示する表示部およびユーザーによって操作される操作部の少なくともいずれか一方が配置されていることを特徴とする指示体。
【請求項６】
請求項２〜請求項５のいずれか一項に記載の指示体であって、
前記検出素子は、前記周方向の中心軸を中心として１８０°を超える領域に設けられていることを特徴とする指示体。
【請求項７】
請求項２〜請求項６のいずれか一項に記載の指示体であって、
前記検出素子は、前記第１方向において、当該指示体を３等分に分割した３つの領域のうちの中央の領域に配置されていることを特徴とする指示体。
【請求項８】
請求項１〜請求項７のいずれか一項に記載の指示体であって、
前記検出素子の前記外装筐体の内面とは反対側に積層される弾性部材と、
前記弾性部材の前記検出素子とは反対側を支持する支持枠と、
をさらに備えることを特徴とする指示体。
【発明の詳細な説明】
【技術分野】
【０００１】
本発明は、指示体に関する。
【背景技術】
【０００２】
従来、ホワイトボード等の投写面に画像を投写するプロジェクター、およびこの投写面上で操作される電子ペン（例えば、特許文献１参照）等の指示体を備えたシステムが知られている。このような指示体を用いたシステムは、ユーザーが指示体を投写面（操作面）上で操作をすることによって指示体の先端から赤外線等による信号を発する。そして、プロジェクターは、指示体から発せられた信号を検知して、例えば、元の画像情報に指示体の軌跡に関する情報を重ねて投写するように構成されている。
【０００３】
特許文献１に記載の電子ペンは、発光素子、ペン先端部、感圧センサー、制御部、感圧センサーを保持する保持機構、および外部スイッチを備えている。そして、電子ペンは、感圧センサーに一定圧力を常に加えておき、ペン先端部が押圧されてこの圧力がなくなった際にペン先端部が被筆記面に接触したと判断するように構成されている。
【先行技術文献】
【特許文献】
【０００４】
【特許文献１】国際公開第１３／１１４４５３号
【発明の概要】
【発明が解決しようとする課題】
【０００５】
指示体は、ペン先端部を押圧して行う操作（指示操作や描画操作）に加え、ペン先端部を押圧せずに指示操作等がなされる場合もある。しかしながら、特許文献１に記載の電子ペンは、このような操作を含めて電子ペンが使用中であるか否かを正しく判断できないため、安易に低消費電力のモードに移行させることができない。仮に、使用中であるにもかかわらずに低消費電力のモードに移行してしまうと、復帰して描画等が可能になるまでに時間を要するため、操作性が損なわれてしまう。そのため、特許文献１に記載の電子ペンは、低消費電力化が難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る指示体は、位置を指し示す先端を有する指示先端部と、前記指示先端部から信号を発する発信部と、前記指示先端部が接続される本体部とを有する指示体であって、前記本体部は、外装を構成する外装筐体と、前記外装筐体の変位を検出して検出信号を出力する検出部と、前記検出信号に基づいて当該指示体の動作状態を変更する制御部と、を備え、前記検出部は、前記外装筐体の内面に配置され、前記変位を検出する検出素子と、前記検出素子が前記変位を検出した場合、前記検出信号を出力する信号出力部と、を備えることを特徴とする。
【０００８】
この構成によれば、指示体は、指示先端部から信号を発する発信部を備えているので、発信部からの信号が検出されることによる指示操作や描画操作が可能となる。
また、指示体は、外装筐体の内面に配置された検出素子、および検出素子からの出力を判別して検出信号を出力する信号出力部を備えている。これによって、ユーザーに把持されると、検出素子が変位して信号出力部から検出信号が出力されるように、指示体を構成することが可能となる。また、指示体は、検出部からの検出信号に基づいて指示体の動作状態を変更する制御部を備えている。これによって、指示体は、ユーザーに把持された把持状態を検出できると共に、ユーザーに把持されずに放置される放置状態を判断できるので、それらの状態に対応して動作状態を変更することが可能となる。例えば、放置状態が所定時間続くような場合、指示体が確実に使用されていないと判断できるので、動作状態を低消費電力の状態にすることや、低消費電力の状態からユーザーが指示体を把持すれば（把持状態）、他の操作をすることなく指示体を所定の状態に変更することができる。よって、低消費電力化や操作性の向上が可能な指示体を提供することができる。
【０００９】
［適用例２］上記適用例に係る指示体において、前記外装筐体は、前記先端から当該先端とは反対側に向かう第１方向に沿って延出し、前記第１方向から見て、前記検出部を囲む筐体本体部を有し、前記検出素子は、前記筐体本体部の内面に、周方向に沿って配置されていることが好ましい。
【００１０】
この構成によれば、指示体は、上述した筐体本体部を有しているので、ユーザーがこの筐体本体部を把持して筆記具のように操作することが可能となる。そして、ユーザーが把持し易い筐体本体部内に検出素子が配置されるので、ユーザーが把持する力を効率的に検出素子に伝えることが可能となる。よって、指示体は、把持状態を効率良く検出することが可能となる。
【００１１】
［適用例３］上記適用例に係る指示体において、前記筐体本体部は、前記周方向に並設された第１筐体および第２筐体を有し、前記検出素子は、前記第１筐体と前記第２筐体とに跨って配置されていることが好ましい。
【００１２】
この構成によれば、検出素子は、第１筐体と第２筐体とに跨って配置されているので、ユーザーの把持によって筐体本体部を効率良く撓ませ、その撓みに伴う変位を効率良く検出素子に伝えることが可能となる。よって、把持状態を効率良く検出し、動作状態を変更する指示体の提供が可能となる。
【００１３】
［適用例４］上記適用例に係る指示体において、前記筐体本体部は、前記周方向における前記第２筐体の前記第１筐体とは反対側に並設された第３筐体をさらに備え、前記検出素子は、前記第２筐体と前記第３筐体とに跨って配置されていることが好ましい。
【００１４】
この構成によれば、検出素子は、第１筐体と第２筐体とに加え、第２筐体と第３筐体とに跨って配置されている。これによって、ユーザーは、筐体本体部を撓ませるために、指示体の周方向における把持する位置の制約が抑制されるので、指示体のさらなる操作性向上が可能となる。
【００１５】
［適用例５］上記適用例に係る指示体において、前記第１筐体、前記第２筐体および前記第３筐体は、前記周方向に沿って環状に配置され、前記第２筐体には、当該指示体に関する情報を表示する表示部およびユーザーによって操作される操作部の少なくともいずれか一方が配置されていることが好ましい。
【００１６】
この構成によれば、第１筐体、第２筐体および第３筐体は、周方向に沿って環状に配置され、第１筐体および第３筐体は、第２筐体の両側にそれぞれ並設されている。そして、第２筐体には、表示部および操作部の少なくともいずれか一方が配置されている。これによって、ユーザーに第１筐体および第３筐体を把持させることが可能となる。検出素子は、第１筐体と第２筐体と、および第２筐体と第３筐体とに跨って配置されているので、ユーザーに筐体本体部が効率良く撓む箇所を把持させることが可能となる。よって、筐体本体部をさらに効率良く撓ませ、その撓みに伴う変位を効率良く検出素子に伝えることが可能となる。
【００１７】
［適用例６］上記適用例に係る指示体において、前記検出素子は、前記周方向の中心軸を中心として１８０°を超える領域に設けられていることが好ましい。
【００１８】
この構成によれば、検出素子は上述した１８０°を超える領域に設けられている。ユーザーは、周方向における筐体本体部の対向する部位を把持すると考えられるので、外装筐体の撓みに伴う変位を確実に検出素子に伝えることが可能となる。
【００１９】
［適用例７］上記適用例に係る指示体において、前記検出素子は、前記第１方向において、当該指示体を３等分に分割した３つの領域のうちの中央の領域に配置されていることが好ましい。
【００２０】
この構成によれば、検出素子が上述した中央の領域に配置されているので、ユーザーの中央部の把持はもとより、中央部の一方側の領域や中央部の他方側の領域の把持でも、把持状態の検出が可能となる。よって、指示体の第１方向におけるユーザーが把持する位置の自由度を高めて動作状態を変更する指示体の提供が可能となる。
【００２１】
［適用例８］上記適用例に係る指示体において、前記検出素子の前記外装筐体の内面とは反対側に積層される弾性部材と、前記弾性部材の前記検出素子とは反対側を支持する支持枠と、をさらに備えることが好ましい。
【００２２】
この構成によれば、検出素子には、外装筐体の内面とは反対側に弾性部材および支持枠がこの順で配置されている。これによって、検出素子が外装筐体の内面に沿う状態を維持すると共に、外装筐体の撓みに追従して検出素子を変位させることが可能となる。よって、外装筐体の撓みに伴う変位を感度良く検出する検出素子の配置が可能となる。
【００２３】
［適用例９］上記適用例に係る指示体において、前記発信部を駆動させる駆動部を備え、当該指示体は、前記制御部が前記駆動部を動作可能とする動作モード、および前記制御部が前記駆動部の動作を停止させる第１の待機モードを有することが好ましい。
【００２４】
この構成によれば、指示体は、駆動部の動作が停止する第１の待機モードを有しているので、低消費電力化が可能となる。
【００２５】
［適用例１０］上記適用例に係る指示体において、前記制御部は、前記第１の待機モードにおいて、前記検出信号が出力された場合に、前記動作モードに変更することが好ましい。
【００２６】
この構成によれば、第１の待機モードにおいて、ユーザーが指示体を把持すれば、他の操作をすることなく指示体を動作モードに変更することができる。よって、操作性の向上や、描画操作等が可能になるまでの時間を短縮することが可能な指示体を提供することができる。
【００２７】
［適用例１１］上記適用例に係る指示体において、前記制御部は、前記動作モードにおいて、前記検出信号が出力されない状態が第１の所定時間継続した場合に、前記第１の待機モードに変更することが好ましい。
【００２８】
この構成によれば、指示体は、動作モードにおいて、第１の所定時間、把持されない（放置状態になる）と、第１の待機モードとなる。第１の待機モードは、駆動部の動作を停止するので、指示体の消費電力を低減することができる。
また、指示体は、特定の操作を行わなくても、ユーザーに把持されていることを検出できる。すなわち、指示体は、確実に使用されていない状態が判断可能で、この確実に使用されない時間が第１の所定時間に達したときに、第１の待機モードとなる。これによって、第１の所定時間を短くしても操作性を損なわないようにすることが可能となる。よって、指示体のさらなる低消費電力化が可能となる。
【００２９】
［適用例１２］上記適用例に係る指示体において、当該指示体は、前記制御部が前記第１の待機モードで行われる動作の一部を停止させる第２の待機モードをさらに有していることが好ましい。
【００３０】
この構成によれば、指示体は、上述した第２の待機モードを有しているので、さらなる低消費電力化が可能となる。
【００３１】
［適用例１３］上記適用例に係る指示体において、前記制御部は、前記第１の待機モードにおいて、前記検出信号が出力されない状態が第２の所定時間継続した場合に、前記第２の待機モードに変更することが好ましい。
【００３２】
この構成によれば、指示体は、第１の待機モードにおいて、第２の所定時間、把持されない（放置状態になる）と、第２の待機モードとなる。また、指示体は、上述したように、確実に使用されていない状態が判断可能なので、第２の所定時間を短くしても操作性を損なわないようにすることが可能となる。よって、指示体のさらなる低消費電力化が可能となる。
【００３３】
［適用例１４］上記適用例に係る指示体において、前記制御部は、前記第２の待機モードにおいて、前記検出信号が出力された場合に、前記動作モードに変更することが好ましい。
【００３４】
この構成によれば、第２の待機モードにおいて、ユーザーが指示体を把持すれば、他の操作をすることなく指示体を動作モードに変更することができる。よって、操作性の向上や、描画等の操作が可能になるまでの時間を短縮することが可能な指示体を提供することができる。
【図面の簡単な説明】
【００３５】
【図１】本実施形態に係る指示体を用いた表示システムの概略構成を示す模式図。
【図２】本実施形態の指示体の外観を示す斜視図。
【図３】本実施形態の指示体の分解斜視図。
【図４】本実施形態の回路ユニットおよび検出部の構成を示すブロック図。
【図５】本実施形態の外装筐体の一部および検出部を示す斜視図。
【図６】本実施形態の指示体の断面図。
【図７】本実施形態における分解された第１筐体、第２筐体および第３筐体を示す斜視図。
【図８】本実施形態の制御部の動作を示すフローチャート。
【図９】変形例の指示体の外観を模式的に示す図。
【図１０】変形例における把持部の断面を模式的に示す図。
【発明を実施するための形態】
【００３６】
以下、本実施形態に係る指示体について、図面を参照して説明する。
図１は、本実施形態に係る指示体１を用いた表示システム１０の概略構成を示す模式図である。
表示システム１０は、指示体１およびプロジェクター２０を備え、プロジェクター２０によりホワイトボード等の投写面ＳＣに投写された画像に対し、ユーザーによる指示体１の操作により、任意の位置を指示したり、図形や文字等を描画したりできるように構成されている。
【００３７】
詳細な説明は省略するが、プロジェクター２０は、入力された画像情報に応じた画像を投写面ＳＣに投写する画像投写部、および投写面ＳＣを撮像する撮像部を備える。そして、プロジェクター２０は、投写面ＳＣ（操作面）上で操作された指示体１から発せられた光による信号を検知し、検知した情報に基づいて信号が発せられた位置の解析を行い、画像情報にこの位置の軌跡を示す線を重畳した重畳画像の投写や、投写する画像の変更等を行う。
【００３８】
〔指示体の主な構成〕
図２は、指示体１の外観を示す斜視図である。図３は、指示体１の分解斜視図である。
指示体１は、図２に示すように、筆記具に模した形状を有しており、位置を指し示す先端を有し、この先端から先端とは反対側に向かう第１方向Ｄ１に沿って延出している。指示体１は、図３に示すように、先端を有する指示先端部２、指示先端部２内に配置される発信部としての発光素子３、および指示先端部２が接続される本体部４を備えている。
【００３９】
指示先端部２は、図３に示すように、指示体１の先端を形成する透過部材２１、および透過部材２１の本体部４側に配置される遮光部材２２を備えている。透過部材２１は、発光素子３が発する光を透過する部材で形成され、遮光部材２２は、発光素子３が発する光を遮光する部材で形成されている。図示は省略するが、指示先端部２には、先端の反対側が開口する中空部を有し、中空部の内面には、ネジ溝が形成されている。
また、本実施形態の指示体１は、指示先端部２の中心軸Ａｘ（図２参照）が第１方向Ｄ１と略同一方向となるように形成されている。
【００４０】
発光素子３として、赤外線を射出するＬＥＤ（Light Emitting Diode）が用いられている。発光素子３は、本体部４から指示先端部２側に飛び出し、指示先端部２の中空部に配置される。すなわち、発光素子３は、指示先端部２から光による信号を発する。また、発光素子３は、指向性を有し、中心軸Ａｘに沿う方向を中心として光を射出する。すなわち、指示先端部２の中心軸Ａｘは、発光素子３が発する光の中心軸となるように構成されている。
【００４１】
本体部４は、指示先端部２を変位可能に支持する。指示先端部２の変位とは、指示先端部２の中心軸Ａｘに対する傾倒や、中心軸Ａｘに沿う本体部４側への移動のことをいう。すなわち、指示体１は、投写面ＳＣに対して略直角の姿勢での操作はもとより、投写面ＳＣに対して傾斜する姿勢での操作が可能に構成されている。そして、本体部４は、指示先端部２が変位することによって、指示先端部２の先端が押圧されたことを検出し、投写面ＳＣ上における指示位置を示す光信号（第１の発光パターン）で発光素子３を発光させる。
また、本体部４は、後述する外装筐体６の撓みに伴う変位（位置の変化）を検出する検出部５、および制御部４２１（いずれも図４参照）を備え、検出部５が検出した検出信号に基づいて指示体１の動作状態を変更することが可能に構成されている。
【００４２】
〔本体部の構成〕
ここで、本体部４について詳細に説明する。
本体部４は、図３に示すように、押圧検出部４１、回路ユニット４２、電池４３、検出部５、支持枠４４、弾性部材４５、およびこれらの部材を内部に収納し、外装を構成する外装筐体６を備えている。
【００４３】
押圧検出部４１は、詳細な説明は省略するが、図３に示すように、指示先端部２が接続される接続部材４１１、および電気的接続部材等を備え、スイッチとしての機能を有する。
接続部材４１１は、図３に示すように、指示先端部２側に突出する円筒状の部位を有し、この円筒状の外周面には、ネジ溝が形成されている。そして、接続部材４１１は、ネジ溝の反対側が電気的接続部材と共に外装筐体６内に配置されている。
【００４４】
発光素子３は、接続部材４１１から露出し、リード端子が接続部材４１１の内部に挿通されて接続部材４１１に保持されている。接続部材４１１の内部に挿通されたリード端子は、回路ユニット４２に接続されている。
指示先端部２は、中空部の内面に形成されたネジ溝（図示省略）が接続部材４１１のネジ溝に螺合されることにより、接続部材４１１に接続される。指示体１の投写面ＳＣ上における操作により指示先端部２が押圧されると、発光素子３および接続部材４１１は、指示先端部２と共に変位する。
押圧検出部４１は、指示先端部２が押圧されて接続部材４１１が変位すると、電気的接続部材の接続状態が変わり、指示先端部２が押圧されたことを検出する。
【００４５】
図４は、回路ユニット４２および検出部５の構成を示すブロック図である。
回路ユニット４２は、回路素子および回路素子が実装された回路基板を有して構成され、図４に示すように、制御部４２１、発光素子３を駆動させる駆動部４２２、表示部４２３、操作部４２４、および図３に示すように、電池４３との電気的接続用の接続部４２５を備えている。
【００４６】
制御部４２１は、ＣＰＵ（Central Processing Unit）等を備え、指示体１の各種の制御を行う。制御部４２１は、例えば、駆動部４２２の制御や、検出部５から出力された検出信号に基づいて指示体１の電源をオンにする等、動作状態を変更する。指示体１は、電源がオンされた状態において、動作モード、第１の待機モード、および第２の待機モードを有している。制御部４２１は、動作モードにおいて駆動部４２２を動作可能とし、第１の待機モードにおいて駆動部４２２の動作を停止させ、第２の待機モードにおいて第１の待機モードで行われる動作の一部を停止させる。具体的に、制御部４２１は、第２の待機モードにおいて、検出部５からの検出信号を受信し、動作モードに移行させる受信部（図示省略）以外の動作を停止させる。つまり、第２の待機モードでは、制御部４２１は、駆動部４２２に加えて、押圧検出部４１、表示部４２３、および操作部４２４に関わる動作等を停止させる。
【００４７】
また、制御部４２１は、動作モードにおいて、指示先端部２が押圧されているとき、第１の発光パターンで発光素子３を常に発光させ、指示先端部２が押圧されていないとき、第１の発光パターンとは異なる光信号の第２の発光パターンで発光素子３を常に発光させる。これによって、プロジェクター２０は、指示体１の指示先端部２が押圧されているか否かを識別することが可能であるとともに、指示先端部２が押圧されていないときにも指示体１の位置を検出することができる。
【００４８】
表示部４２３は、指示体１に関する情報を表示するものであり、本実施形態の表示部４２３は、電池４３の残容量の状態を表示する。表示部４２３は、回路基板に実装されたＬＥＤ（図示省略）、およびＬＥＤから発せられた光を導く導光体４２３ｇ（図３参照）を備えている。導光体４２３ｇは、図２に示すように、外装筐体６に形成された開口部から露出して配置される。そして、表示部４２３は、制御部４２１の指示に基づいて、ＬＥＤが発する光の色や、光の点灯、点滅、消灯等の点灯状態を変えることにより電池４３の残容量の状態を表示する。なお、以下では、説明の便宜上、指示体１において、先端側を前側、先端側の反対側を後側とし、表示部４２３が配置されている側を上側、上側の反対側を下側として記載する。
【００４９】
操作部４２４は、ユーザーによって操作されるものであり、本実施形態の操作部４２４は、指示体１が有する図形や文字等を描画する等の機能を切り替えるプッシュ式スイッチである。操作部４２４は、図３に示すように、導光体４２３ｇの後側に配置された操作ボタン４２４ｓを備え、この操作ボタン４２４ｓは、図２に示すように、外装筐体６に形成された開口部から露出して配置される。
【００５０】
電池４３は、本体部４における後側に配置され、発光素子３および回路ユニット４２に電力を供給する。本実施形態の電池４３は、単３形の乾電池１本で構成され、マイナス端子側が後側となるように配置されている。
【００５１】
接続部４２５は、図３に示すように、電池４３のマイナス端子に接続されるマイナス端子４２５ｍ、ケーブルＣＡ、および保持部材４２５１を備えている。
マイナス端子４２５ｍは、詳細な図は省略するが、板金製で指示体１における後側端部近傍に配置される。マイナス端子４２５ｍは、電池４３のマイナス端子に接触する部位と、この部位から屈曲された部位を有し、ケーブルＣＡを介して回路ユニット４２の回路基板に接続される。
【００５２】
保持部材４２５１は、合成樹脂製であり、ネジが挿通されるネジ挿通孔を有している。マイナス端子４２５ｍは、外装筐体６と保持部材４２５１とに挟持され、保持部材４２５１のネジ挿通孔にネジが挿通されて外装筐体６に固定される。なお、電池４３のプラス端子に接続されるプラス端子（図示省略）は、回路ユニット４２の回路基板に実装されている。
【００５３】
図５は、外装筐体６の一部（後述する第１筐体６１および第２筐体６２）、および検出部５を示す斜視図である。
検出部５は、外装筐体６の撓みに伴う変位を検出し、検出信号を出力する。検出部５は、図３に示すように、第１方向Ｄ１において、電池４３と操作ボタン４２４ｓとの間に配置され、図５に示すように、検出素子５１および信号出力部５２を備える。
図６は、指示体１の断面図であり、検出部５が配置された部位を指示体１の後側から見た図である。
外装筐体６は、図６に示すように、検出部５が配置された部位において、内面が円形状に形成されている。
【００５４】
検出素子５１は、圧電素子を有してシート状に形成され、指示体１に組み込まれる前の状態は平面視短冊状に形成されている。検出素子５１は、図５、図６に示すように、長手方向が湾曲するように、外装筐体６の内面に沿って配置される。そして、検出素子５１は、指示体１が机上等に載置され、外装筐体６に外力が加えられていない放置状態から、外装筐体６がユーザーに把持される把持状態へ移行する際、外装筐体の撓みに追従して変位し、変位（位置の変化）を検出している間、変位信号としての電圧を出力する。
【００５５】
信号出力部５２は、図５、図６に示すように、平面視短冊状の検出素子５１における一方の短辺側に接続されている。信号出力部５２は、検出素子５１から出力された変位信号を処理する回路素子、およびこの回路素子が実装された回路基板を有し、フレキシブル基板５２Ｆを介して回路ユニット４２に接続されている。
信号出力部５２は、検出素子５１から出力された電圧（変位信号）を判別して検出信号を制御部４２１に出力する。すなわち、信号出力部５２は、検出素子５１から出力された電圧（変位信号）が、外装筐体６がユーザーに把持された際の変位に対応する電圧以上の場合に、検出信号を出力し、この変位に対応する電圧未満の場合には、検出信号を出力しない。検出信号に基づく制御部４２１の動作については後述する。
【００５６】
支持枠４４は、押圧検出部４１および回路ユニット４２を支持すると共に、弾性部材４５とで、検出素子５１が外装筐体６の内面に沿う状態を維持させる。
弾性部材４５は、合成樹脂等を発泡させた発泡部材等で形成され、指示体１に組み込まれる前には平面視長方形の板状に形成されている。弾性部材４５は、図６に示すように、検出素子５１の外装筐体６の内面とは反対側、すなわち湾曲状の検出素子５１の内面側に、検出素子５１に沿って積層されている。
【００５７】
支持枠４４は、合成樹脂製であり、図６に示すように、弾性部材４５の内面側に配置される曲面部４４１を有している。曲面部４４１は、外装筐体６の内面に配置された弾性部材４５の内面に沿う曲面を有し、この曲面が弾性部材４５の内面に積層される。そして、曲面部４４１は、弾性部材４５の検出素子５１とは反対側を支持する。
検出素子５１は、曲面部４４１に支持された弾性部材４５と外装筐体６との間に配置され、外装筐体６の内面に沿う状態が維持される。また、弾性部材４５は、放置状態および把持状態で、検出素子５１が外装筐体６に追従して変位が変わるような弾性を有している。
【００５８】
〔外装筐体の構成〕
ここで、外装筐体６について詳細に説明する。
外装筐体６は、図２、図３に示すように、筐体本体部６０、枠体６４、および電池蓋６５を有している。
筐体本体部６０は、図２に示すように、第１方向Ｄ１に沿って延出しており、第１筐体６１、第２筐体６２、および第３筐体６３を有している。そして、筐体本体部６０は、第１方向Ｄ１から見て、図３、図６に示すように、押圧検出部４１、支持枠４４および検出部５等を囲むように円形状に形成されている。
【００５９】
具体的に、第１筐体６１、第２筐体６２、および第３筐体６３は、第１方向Ｄ１から見て、検出部５等を囲む周方向に沿って環状に配置され、第２筐体６２が指示体１の上側となるように配置される。第１筐体６１および第３筐体６３は、第２筐体６２の両側にそれぞれ並設され、互いの境界が指示体１の下側となるように配置される。換言すると、第１筐体６１、第２筐体６２、および第３筐体６３は、第１筐体６１と第２筐体６２とが並設され、第２筐体６２の第１筐体６１とは反対側に第３筐体６３が並設されている。
【００６０】
枠体６４は、第１筐体６１、第２筐体６２、および第３筐体６３の前側に配置される。枠体６４は、第１筐体６１、第２筐体６２、および第３筐体６３が組み合わされて開口する前側端部を閉塞するように形成され、押圧検出部４１の接続部材４１１が挿通される孔が設けられている。枠体６４は、前側からネジが挿通されて支持枠４４にネジ固定され、このネジは、指示先端部２が接続されることにより隠蔽される。
【００６１】
第１筐体６１および第３筐体６３には、図３に示すように、指示体１の下側となる位置に、電池４３が着脱される開口部６Ａが設けられている。電池蓋６５は、第１筐体６１および第３筐体６３に着脱可能に構成され、電池４３が収納された第１筐体６１および第３筐体６３の開口部６Ａを閉塞する。
【００６２】
第１筐体６１、第２筐体６２および第３筐体６３についてさらに詳細に説明する。
第１筐体６１および第３筐体６３は、図６に示すように、検出素子５１が配置される領域において、周方向における長さが、第２筐体６２の周方向における長さより長く形成されている。
そして、指示体１の上側に位置する第２筐体６２には、図３に示すように、前述した導光体４２３ｇ、操作ボタン４２４ｓがそれぞれ露出する開口部６２ｇ，６２ｓ、および膨出部６２１が形成されている。膨出部６２１は、第２筐体６２の後側端部近傍に設けられており、指示体１のデザイン性の向上を図ると共に、指示体１が机上等に載置された際の転がりを制限する機能も有している。
【００６３】
図７は、分解された筐体本体部６０を下側から見た斜視図である。
前述した開口部６Ａは、図７に示すように、第１筐体６１に設けられた切欠き６１１と第３筐体６３に設けられた切欠き６３１とで形成されている。
また、第１筐体６１および第３筐体６３それぞれは、外装筐体６の後側の面を形成する壁部を有し、各壁部には、ストラップを取り付けるための開口部６Ｂが設けられている。
【００６４】
第１筐体６１、第２筐体６２および第３筐体６３は、第１方向Ｄ１において、略３箇所でネジ固定されている。具体的に、第１筐体６１、第２筐体６２および第３筐体６３は、第１方向Ｄ１において、前側端部近傍となる第１位置、開口部６Ａにおける前側近傍となる第２位置、および後側端部近傍となる第３位置で、支持枠４４を用いてネジ固定されている。
【００６５】
先ず、第１位置におけるネジ固定の構造について説明する。
第１筐体６１、第２筐体６２および第３筐体６３は、図３に示すように、それぞれの前側の縁部が内側に凹む段差部６１ｆ，６２ｆ，６３ｆを有している。段差部６１ｆ，６２ｆ，６３ｆそれぞれには、位置決め用の孔およびネジ挿通孔が形成されている。
支持枠４４には、段差部６１ｆ，６２ｆ，６３ｆの位置決め用の孔およびネジ挿通孔にそれぞれ対応する突起部およびネジ穴（いずれも図示省略）が設けられている。
【００６６】
第１位置における第１筐体６１、第２筐体６２および第３筐体６３は、段差部６１ｆ，６２ｆ，６３ｆの位置決め用の孔に支持枠４４の突起部が挿入され、段差部６１ｆ，６２ｆ，６３ｆのネジ挿通孔から挿通されたネジが支持枠４４のネジ穴に挿入されて支持枠４４にネジ固定される。なお、枠体６４は、第１筐体６１、第２筐体６２、および第３筐体６３が支持枠４４にネジ固定された状態で、前述したように、前側からネジが挿通されて、支持枠４４に固定される。
【００６７】
次に、第２位置におけるネジ固定の構造について説明する。
第１筐体６１には、図３に示すように、切欠き６１１の前側の縁部に、ネジ挿通孔を有する凸部６１３が形成されている。同様に、第３筐体６３には、図７に示すように、切欠き６３１の前側の縁部に、ネジ挿通孔を有する凸部６３３が形成されている。
第２筐体６２の内面側には、図７に示すように、開口部６２ｓの後側に、ネジ穴を有する円柱状のボス６２３が設けられている。また、図示は省略するが、支持枠４４には、ボス６２３のネジ穴に対応するネジ挿通孔、および凸部６１３，６３３のネジ挿通孔に対応するネジ穴が形成されている。
【００６８】
第２位置における第１筐体６１、第２筐体６２および第３筐体６３の固定構造は、第２筐体６２にネジ固定された支持枠４４に、第１筐体６１および第３筐体６３がネジ固定されることにより構成されている。具体的に、支持枠４４は、ネジ挿通孔から挿通されたネジがボス６２３のネジ穴に挿入されて第２筐体６２に固定され、第１筐体６１および第３筐体６３は、凸部６１３，６３３のネジ挿通孔から挿通されたネジが支持枠４４のネジ穴に挿入されて、支持枠４４に固定される。
【００６９】
次に、第３位置におけるネジ固定の構造について説明する。
第２筐体６２は、図３に示すように、前述した膨出部６２１が第１方向Ｄ１に沿って形成されており、膨出部６２１の両側に傾斜面６２１ｓを有している。
図３、図７に示すように、各傾斜面６２１ｓには矩形状の孔６２１ｈが形成され、各傾斜面６２１ｓの端部には、ネジ穴を有する円柱状のボス６２２が設けられている。
【００７０】
第１筐体６１および第３筐体６３それぞれには、第２筐体６２の傾斜面６２１ｓの外側に重なる傾斜部６１２，６３２が形成されている。そして、傾斜部６１２，６３２の内面側それぞれには、第２筐体６２の孔６２１ｈに係合する係合突起６１２ｐ，６３２ｐが形成されている。
第１筐体６１には、図５に示すように、第２筐体６２の一方のボス６２２の下側に位置し、ネジ挿通孔を有する凸部６１４が形成されている。同様に、第３筐体６３には、図７に示すように、第２筐体６２の他方のボス６２２の下側に位置し、ネジ挿通孔を有する凸部６３４が形成されている。
【００７１】
第３位置における第１筐体６１、第２筐体６２および第３筐体６３の固定構造は、第１筐体６１および第３筐体６３が第２筐体６２にネジ固定されることにより構成されている。具体的に、第１筐体６１および第３筐体６３は、第２筐体６２の孔６２１ｈに係合突起６１２ｐ，６３２ｐが係合され、凸部６１４，６３４のネジ挿通孔から挿通されたネジがボス６２２のネジ穴に挿入されて第２筐体６２に固定される。
このように、第１筐体６１、第２筐体６２および第３筐体６３は、支持枠４４を用いて、第１方向Ｄ１において、略３箇所でネジ固定されている。
【００７２】
検出部５は、第１方向Ｄ１において、第１位置と第２位置との間の、第２位置寄りに配置されている。そして、検出素子５１は、筐体本体部６０の内面に、周方向に沿って配置されている。
さらに、第１位置と第２位置との間の領域における第１筐体６１、第２筐体６２および第３筐体６３の周方向における係合の構造について説明する。
第１筐体６１、第２筐体６２および第３筐体６３は、第１位置と第２位置との間の領域において、図６に示すように、第２筐体６２の両側の端部に第１筐体６１および第３筐体６３の端部が外側に重なるように形成されている。具体的に、第２筐体６２の周方向における両側の端部は、外側が凹んで形成され、第１筐体６１は、第２筐体６２の凹む部位に重なる積層部６１ａを有し、第３筐体６３は、第２筐体６２の凹む部位に重なる積層部６３ａを有している。
【００７３】
そして、第１筐体６１には、図５に示すように、第２筐体６２の端部の内側に向けて突出するリブ６１ｃが設けられている。また、第３筐体６３には、図７に示すように、第２筐体６２の内側に向けて突出するリブ６３ｃが形成されている。リブ６１ｃ，６３ｃは、第１方向Ｄ１における検出部５の前側に設けられ、第２筐体６２の両側の端部とそれぞれ当接する。
このように、第２筐体６２は、周方向における両側が積層部６１ａ，６３ａとリブ６１ｃ，６３ｃとの間に挟装されて配置される。
【００７４】
また、第１筐体６１と第３筐体６３とは、図６に示すように、第３筐体６３の端部に第１筐体６１の端部が外側に重なるように形成されている。具体的に、第３筐体６３の第１筐体６１側の端部は、外側が凹んで形成され、第１筐体６１は、第３筐体６３の凹む部位に重なる積層部６１ｄを有している。
そして第１筐体６１の第３筐体６３側における端部の内面には、図５、図６に示すように、第３筐体６３に内面に向けて突出するリブ６１ｅが形成されている。
このように、第１筐体６１と第３筐体６３とは、第３筐体６３の端部が積層部６１ｄとリブ６１ｅとの間に挟装されて配置される。
【００７５】
このように、第１筐体６１、第２筐体６２および第３筐体６３は、第１方向Ｄ１において、３箇所（第１位置、第２位置、および第３位置）でネジ固定され、第１位置と第２位置との間の周方向において、端部が部分的に嵌合するように配置されている。
【００７６】
検出素子５１は、図６に示すように、第１筐体６１と第２筐体６２とに跨り、また、第２筐体６２と第３筐体６３とに跨って配置されている。支持枠４４の曲面部４４１、および弾性部材４５も、第１筐体６１と第２筐体６２とに跨り、また、第２筐体６２と第３筐体６３とに跨って配置されている。
このように、検出素子５１は、第１筐体６１、第２筐体６２および第３筐体６３がネジ固定されている位置から離間し、３つの筐体（第１筐体６１、第２筐体６２および第３筐体６３）に跨って配置されている。よって、指示体１が把持された際の第１筐体６１、第２筐体６２および第３筐体６３間の撓みが検出素子５１へ効率良く伝わり、検出素子５１は、第１筐体６１、第２筐体６２および第３筐体６３間の撓みに追従して変位する。
【００７７】
また、検出素子５１は、図６に示すように、周方向において配設される領域５１Ａが周方向の中心軸を中心として１８０°を超える領域、本実施形態では約２２０°の領域に設けられている。
さらに、検出素子５１は、第１方向Ｄ１においては、指示体１の中央の領域に配置されている。具体的に、検出素子５１は、第１方向Ｄ１において、指示体１を３等分に分割した３つの領域のうちの中央の領域に配置されている。
【００７８】
〔制御部の動作〕
制御部４２１は、検出部５から出力された検出信号に基づいて指示体１の状態を変更する。
ここで、検出信号に基づく制御部４２１の動作について説明する。
図８は、制御部４２１の動作を示すフローチャートである。
指示体１は、電池４３が装着されると、電源がオンとなり、制御部４２１が各種の制御を可能な動作モード（ステップＳ１０１）となる。
【００７９】
制御部４２１は、動作モードにおいて、第１の所定時間（例えば、１５秒）内に検出信号が出力されたか否かを判別（ステップＳ１０２）し、検出信号が出力されないと、ステップＳ１０３に移行し、検出信号が出力されると、動作モード（ステップＳ１０１）を継続する。つまり、制御部４２１は、検出信号が出力されない状態が第１の所定時間継続した場合には、ステップＳ１０３に移行し、第１の所定時間が経過する前に検出信号が出力されると、ステップＳ１０１に移行する。
【００８０】
制御部４２１は、ステップＳ１０３において、指示体１の状態を動作モードから第１の待機モードに変更する。すなわち、動作モードにおいて、第１の所定時間、検出信号が出力されないと、この間、指示体１がユーザーに把持されていないと判断され、制御部４２１は、指示体１を第１の待機モードに変更する。第１の待機モードは、駆動部４２２の動作が停止するので、発光素子３が発光せず低消費電力となる。
【００８１】
制御部４２１は、第１の待機モードにおいて、第２の所定時間（例えば、１５秒）内に検出信号が出力されたか否かを判別（ステップＳ１０４）し、検出信号が出力されないと、ステップＳ１０５に移行し、検出信号が出力されると、指示体１の状態を動作モード（ステップＳ１０１）に変更する。つまり、制御部４２１は、検出信号が出力されない状態が第２の所定時間継続した場合に、ステップＳ１０５に移行し、第２の所定時間が経過する前に検出信号が出力されると、ステップＳ１０１に移行する。このように、第１の待機モードにおいて、検出信号が出力されると、指示体１がユーザーに把持されたと判断され、制御部４２１は、指示体１を動作モードに変更する。なお、第１の所定時間と第２の所定時間とが異なる時間であってもよい。
【００８２】
制御部４２１は、ステップＳ１０５において、指示体１の状態を第１の待機モードから、第２の待機モードに変更する。すなわち、第１の待機モードにおいて、第２の所定時間、検出信号が出力されないと、この間、指示体１がユーザーに把持されていないと判断され、制御部４２１は、指示体１を第２の待機モードに変更する。第２の待機モードは、第１の待機モードで行われる動作の一部が停止するので、第１の待機モードよりさらに低消費電力となる。
【００８３】
制御部４２１は、第２の待機モードにおいて、検出信号が出力されたか否かを判別（ステップＳ１０６）し、検出信号が出力されないと、本ステップＳ１０６を繰り返し、検出信号が出力されると、動作モード（ステップＳ１０１）に変更する。すなわち、第２の待機モードにおいて、検出信号が出力されると、指示体１がユーザーに把持されたと判断され、制御部４２１は、指示体１を動作モードに変更する。
このように、制御部４２１は、検出部５から出力された検出信号に基づいて指示体１の状態を変更する。
【００８４】
以上説明したように、本実施形態の指示体１によれば、以下の効果を得ることができる。
（１）指示体１は、外装筐体６の撓みに伴う変位を検出して検出信号を出力する検出部５、および検出信号に基づいて動作状態を変更する制御部４２１を備えている。これによって、把持状態を検出できると共に、放置状態を判断できるので、それらの状態に対応して動作状態を変更する指示体１の提供が可能となる。よって、低消費電力化や操作性の向上が可能な指示体１を提供することができる。
【００８５】
（２）外装筐体６は、第１方向Ｄ１に沿って延出する筐体本体部６０を有し、検出素子５１は、筐体本体部６０の内面に周方向に沿って配置されている。これによって、ユーザーがこの筐体本体部６０を把持して筆記具のように操作することが可能となり、ユーザーが把持し易い筐体本体部６０内に検出素子５１が配置されるので、ユーザーが把持する力を効率的に検出素子５１に伝えることが可能となる。よって、指示体１は、把持状態を効率良く検出することが可能となる。
【００８６】
（３）検出素子５１は、第１筐体６１と第２筐体６２と、および第２筐体６２と第３筐体６３とに跨って配置されている。これによって、ユーザーの把持によって外装筐体６を効率良く撓ませ、検出素子５１がその撓みに伴う変位を効率良く検出することが可能となる。よって、指示体１のさらなる操作性向上が可能となる。
【００８７】
（４）第１筐体６１、第２筐体６２および第３筐体６３は、周方向に沿って環状に配置され、第１筐体６１および第３筐体６３は、第２筐体６２の両側にそれぞれ並設されている。そして、第２筐体６２には、表示部４２３および操作部４２４が配置されている。これによって、ユーザーに第１筐体６１および第３筐体６３を把持させることが可能となる。検出素子５１は、第１筐体６１と第２筐体６２と、および第２筐体６２と第３筐体６３とに跨って配置されているので、ユーザーに外装筐体６が効率良く撓む箇所を把持させることが可能となる。よって、外装筐体６をさらに効率良く撓ませ、検出素子５１がその撓みに伴う変位を効率良く検出することが可能となる。
【００８８】
（５）検出素子５１は、周方向の中心軸を中心として１８０°を超える領域に設けられている。ユーザーは、周方向における外装筐体６の対向する部位を把持すると考えられるので、外装筐体６の撓みを確実に検出素子５１に伝え、検出素子５１にその撓みに伴う変位を検出させることが可能となる。
【００８９】
（６）検出素子５１は、第１方向Ｄ１において、指示体１を３等分に分割した３つの領域のうちの中央の領域に配置されている。これによって、ユーザーの中央部の把持はもとより、中央部の前側の領域や中央部の後側の領域の把持でも、把持状態の検出が可能となる。よって、指示体１の第１方向Ｄ１におけるユーザーが把持する位置の自由度を高めて動作状態を変更する指示体１の提供が可能となる。
【００９０】
（７）検出素子５１には、外装筐体６の内面とは反対側に弾性部材４５および支持枠４４がこの順で配置されている。これによって、検出素子５１が外装筐体６の内面に沿う状態を維持すると共に、外装筐体６の撓みに追従して検出素子５１を変位させることが可能となる。よって、外装筐体６の撓みに伴う変位を感度良く検出する検出素子５１の配置が可能となる。
【００９１】
（８）指示体１は、駆動部４２２の動作が停止する第１の待機モードを有しているので、低消費電力化が可能となる。動作モードにおいて、駆動部４２２は、第１の発光パターンあるいは第２の発光パターンで発光素子３を常に発光させるので、第１の待機モードに変更されることでその効果は顕著なものとなる。
また、制御部４２１は、動作モードにおいて、第１の所定時間、検出信号が出力されない場合に、第１の待機モードに変更する。指示体１は、指示先端部２の押圧や操作部４２４の操作がない場合においても、ユーザーに把持されていることを検出できる。すなわち、指示体１は、確実に使用されていない状態が判断可能で、この確実に使用されない時間が第１の所定時間に達したときに、第１の待機モードとなる。これによって、第１の所定時間を、本実施形態のように、例えば１５秒というように短く設定しても操作性を損なわないようにすることが可能となる。よって、指示体１のさらなる低消費電力化が可能となる。
【００９２】
（９）指示体１は、第１の待機モードで行われる動作の一部が停止する第２の待機モードをさらに有しているので、さらなる低消費電力化が可能となる。
また、制御部４２１は、第１の待機モードにおいて、第２の所定時間、検出信号が出力されない場合に、第２の待機モードに変更する。これによって、指示体１は、上述したように、確実に使用されていない状態が判断可能なので、第２の所定時間を短くしても操作性を損なわないようにすることが可能となる。よって、指示体１のさらなる低消費電力化が可能となる。
【００９３】
（１０）制御部４２１は、第１の待機モードおよび第２の待機モードにおいて、検出信号が出力された場合に、動作モードに変更する。これによって、第１の待機モードおよび第２の待機モードにおいて、ユーザーが指示体１を把持すれば、他の操作をすることなく指示体１を動作モードに変更することができる。よって、操作性の向上や、描画操作等が可能になるまでの時間を短縮することが可能な指示体１を提供することができる。
【００９４】
（変形例）
なお、前記実施形態は、以下のように変更してもよい。
前記実施形態の筐体本体部６０は、周方向に並設された３つの筐体（第１筐体６１、第２筐体６２、および第３筐体６３）で構成されているが、周方向に並設された４つ以上の筐体で筐体本体部を構成してもよい。そして、検出素子５１が４つ以上の筐体の内面に跨って配置されるように構成してもよい。また、２つ以下の筐体で構成してもよい。
【００９５】
前記実施形態の検出素子５１は、３つの筐体（第１筐体６１、第２筐体６２、および第３筐体６３）の内面に跨って配置されているが、３つの筐体のうちの２つまたは１つの筐体の内面に配置される構成であってもよい。
【００９６】
周方向に２つ配設される筐体で筐体本体部を形成し、２つの筐体のいずれか一方の内面に検出素子５１が配置される構成であってもよい。
【００９７】
筐体本体部６０は、検出部５等を囲むように円形状に形成されているとしたが、多角形状に形成してもよい。また、外形を多角形状とし、内面を円形状に形成してもよい。
【００９８】
筐体本体部を構成する筐体において、端部以外で肉厚が部分的に薄くなる部位を形成し、この部位の両側に検出素子が跨って配置されるように構成してもよい。これによって、筐体本体部を構成する筐体の数を減らしても、検出素子が効率良く変位を検出可能な撓み量が得られる構成が可能となる。
【００９９】
前記実施形態の検出素子５１は、弾性部材４５を用いて外装筐体６の内面に沿う状態が維持されるように構成されているが、検出素子５１が粘着材を介して外装筐体６の内面に配置されるように構成してもよい。
【０１００】
前記実施形態の指示体１は、第２筐体６２に表示部４２３および操作部４２４が配置されているが、表示部４２３および操作部４２４のいずれか一方のみが配置されていてもよいし、両方とも配置されていなくてもよい。
【０１０１】
前記実施形態の指示体１は、検出部５を１つ備えているが、１つに限らず複数備える構成であってもよい。例えば、第１方向Ｄ１に沿って２つ配置される検出部を備える構成とし、それぞれが出力する検出信号に対応して異なる動作を行うように構成してもよい。また、この構成において、２つの検出部の配置位置に対応して外装筐体の外観（色や表面粗さ等）が異なるように構成してもよい。これによって、異なる動作を行うためにユーザーに把持させる位置を明確にすることが可能となる。
【０１０２】
前記実施形態の押圧検出部４１は、接続状態が変わることによって指示先端部２が押圧されたことを検出するように構成されているが、この構成に限らない。例えば、圧電素子や歪ゲージ等を備え、指示先端部２の変位を検知するように構成してもよい。
【０１０３】
前記実施形態の指示体１は２つの待機モード（第１の待機モードおよび第２の待機モード）を有しているが、１つまたは３つ以上の待機モードを有する構成であってもよい。
【０１０４】
前記実施形態では、発信部として赤外線を発する発光素子３が用いられているが、赤外線とは異なる波長帯の光や超音波を発する素子を発信部として構成してもよい。
【０１０５】
前記実施形態では、投写面ＳＣの前面側から画像を投写するプロジェクター２０を備える表示システム１０に用いる指示体１の態様を説明したが、この態様以外の表示システムに指示体を用いるように構成してもよい。例えば、投写面の背面側から画像を投写するリア型のプロジェクターを用い、この投写面を操作面として指示体１を用いる構成や、画像が投写される投写面に替えて、液晶ディスプレイ、ＣＲＴ（Cathode Ray Tube）、プラズマディスプレイ、有機ＥＬディスプレイ等を用い、これらの装置が備える表示面を操作面として指示体を用いる構成であってもよい。
【０１０６】
前記実施形態の指示体１は、筆記具に模した形状を有しているが、ユーザーが把持し、所望の位置を指し示すことができるように形成されていれば、筆記具に模した形状に限らない。例えば、図９に示すように構成してもよい。図９は、変形例の指示体１００の外観を模式的に示す図である。指示体１００は、指示先端部１１０および指示先端部１１０が接続される本体部１２０を有している。本体部１２０は、外装筐体１３０を有し、外装筐体１３０は、指示先端部１１０の外形に倣う枠部１３１、および枠部１３１から指示先端部１１０の中心軸Ａｘ（第１方向Ｄ１）に交差する第２方向Ｄ２に突出し、ユーザーに把持される把持部１３２を有している。図１０は、指示体１００における把持部１３２の断面を模式的に示す図である。把持部１３２は、図１０に示すように、第１方向Ｄ１および第２方向Ｄ２に交差する第３方向Ｄ３の外形寸法が第２方向Ｄ２の外形寸法より小さく形成されており、第３方向Ｄ３において互いに対向する第１把持部筐体１３０Ａおよび第２把持部筐体１３０Ｂで構成されている。そして、検出素子５１は、第１把持部筐体１３０Ａの内面に沿って配置されている。このように、検出素子５１を湾曲するまでもなく、平坦状や平坦状に近い形状で配置し、検出素子５１が第１把持部筐体１３０Ａの変位を検出するように構成することも可能である。そして、指示体１００は、前記実施形態の指示体１と同様の動作が可能である。
【符号の説明】
【０１０７】
１，１００…指示体、２，１１０…指示先端部、３…発光素子（発信部）、４，１２０…本体部、５…検出部、６，１３０…外装筐体、４４…支持枠、４５…弾性部材、５１…検出素子、５２…信号出力部、６０…筐体本体部、６１…第１筐体、６２…第２筐体、６３…第３筐体、４２１…制御部、４２２…駆動部、４２３…表示部、４２４…操作部、Ｄ１…第１方向。
【図１】
0006695713.tif 000002
【図２】
0006695713.tif 000003
【図３】
0006695713.tif 000004
【図４】
0006695713.tif 000005
【図５】
0006695713.tif 000006
【図６】
0006695713.tif 000007
【図７】
0006695713.tif 000008
【図８】
0006695713.tif 000009
【図９】
0006695713.tif 000010
【図１０】
0006695713.tif 000011